【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
ネットワークを介して外部機器と通信する通信手段と、
画像データの送信先機器が特定されると、前記通信手段を介して当該送信先機器においてスクリーンセーバを起動させるコマンドを送信するコマンド送信手段と、
前記通信手段を介して、前記送信先機器において前記スクリーンセーバが終了されたかどうかを判別する判別手段と、
前記判別手段により前記送信先機器において前記スクリーンセーバが終了したと判別されると前記画像データを前記通信手段を介して前記送信先機器に送信する送信手段と、を有することを特徴とする画像出力装置。
【請求項２】
原稿画像を読み取って前記画像データに変換する変換手段を更に有することを特徴とする請求項１に記載の画像出力装置。
【請求項３】
前記コマンド送信手段は、前記スクリーンセーバを終了させるためのパスワードを含めて前記コマンドを送信することを特徴とする請求項１又は２に記載の画像出力装置。
【請求項４】
前記送信先機器にログインするためのログインＩＤを認証する認証手段を更に有し、
前記コマンド送信手段は、前記認証手段による認証が成功した場合に前記コマンドを送信することを特徴とする請求項１乃至３のいずれか１項に記載の画像出力装置。
【請求項５】
更に、前記送信先機器におけるログインユーザが他に存在するか否かを判定する判定手段を更に有し、
前記コマンド送信手段は、前記判定手段によりログインユーザが他に存在しないと判定された場合に前記コマンドを送信することを特徴とする請求項１乃至３のいずれか１項に記載の画像出力装置。
【請求項６】
ネットワークを介して接続された画像出力装置とコンピュータ機器とを有する画像処理システムであって、
前記画像出力装置は、
画像データの送信先コンピュータ機器が特定されると、前記通信手段を介して当該送信先コンピュータ機器においてスクリーンセーバを起動させるコマンドを送信するコマンド送信手段と、
前記通信手段を介して、前記送信先コンピュータ機器において前記スクリーンセーバが終了されたかどうかを判別する判別手段と、
前記判別手段により前記送信先コンピュータ機器において前記スクリーンセーバが終了したと判別されると前記画像データを前記通信手段を介して前記送信先コンピュータ機器に送信する送信手段と、を有し、
前記送信先コンピュータ機器は、
前記コマンドの受信に応答してスクリーンセーバを表示する手段と、
前記スクリーンセーバの終了指示に応答して前記スクリーンセーバを終了させる終了手段と、
前記スクリーンセーバの終了を前記画像出力装置に通知する手段と、を有することを特徴とする画像処理システム。
【請求項７】
前記終了手段は、前記スクリーンセーバのパスワードに一致するパスワードが入力された場合に、当該スクリーンセーバを終了させることを特徴とする請求項６に記載の画像処理システム。
【請求項８】
ネットワークを介して外部機器と接続され、前記ネットワークに画像データを送出する画像出力装置の制御方法であって、
前記画像出力装置のコマンド送信手段が、画像データの送信先機器が特定されると、前記ネットワークを介して当該送信先機器においてスクリーンセーバを起動させるコマンドを送信するコマンド送信工程と、
前記画像出力装置の判別手段が、前記ネットワークを介して、前記送信先機器において前記スクリーンセーバが終了されたかどうかを判別する判別工程と、
前記画像出力装置の送信手段が、前記判別工程で前記送信先機器において前記スクリーンセーバが終了したと判別されると前記画像データを前記ネットワークを介して前記送信先機器に送信する送信工程と、を有することを特徴とする画像出力装置の制御方法。
【請求項９】
原稿画像を読み取って前記画像データに変換する変換工程を更に有することを特徴とする請求項８に記載の画像出力装置の制御方法。
【請求項１０】
前記コマンド送信工程では、前記スクリーンセーバを終了させるためのパスワードを含めて前記コマンドを送信することを特徴とする請求項８又は９に記載の画像出力装置の制御方法。
【請求項１１】
前記画像出力装置の認証手段が、前記送信先機器にログインするためのログインＩＤを認証する認証工程を更に有し、
前記コマンド送信工程では、前記認証工程での認証が成功した場合に前記コマンドを送信することを特徴とする請求項８乃至１０のいずれか１項に記載の画像出力装置の制御方法。
【請求項１２】
更に、前記画像出力装置の判定手段が、前記送信先機器におけるログインユーザが他に存在するか否かを判定する判定工程を更に有し、
前記コマンド送信工程では、前記判定工程でログインユーザが他に存在しないと判定された場合に前記コマンドを送信することを特徴とする請求項８乃至１１のいずれか１項に記載の画像出力装置の制御方法。
【手続補正２】
【補正対象書類名】明細書
【補正対象項目名】０００８
【補正方法】変更
【補正の内容】
【０００８】
上記目的を達成するために本発明の一態様に係る画像出力装置は以下のような構成を備える。即ち、
ネットワークを介して外部機器と通信する通信手段と、
画像データの送信先機器が特定されると、前記通信手段を介して当該送信先機器においてスクリーンセーバを起動させるコマンドを送信するコマンド送信手段と、
前記通信手段を介して、前記送信先機器において前記スクリーンセーバが終了されたかどうかを判別する判別手段と、
前記判別手段により前記送信先機器において前記スクリーンセーバが終了したと判別されると前記画像データを前記通信手段を介して前記送信先機器に送信する送信手段と、を有することを特徴とする。
【手続補正３】
【補正対象書類名】明細書
【補正対象項目名】０００９
【補正方法】変更
【補正の内容】
【０００９】
上記目的を達成するために本発明の一態様に係る画像出力装置の制御方法は以下のような工程を備える。即ち、
ネットワークを介して外部機器と接続され、前記ネットワークに画像データを送出する画像出力装置の制御方法であって、
前記画像出力装置のコマンド送信手段が、画像データの送信先機器が特定されると、前記ネットワークを介して当該送信先機器においてスクリーンセーバを起動させるコマンドを送信するコマンド送信工程と、
前記画像出力装置の判別手段が、前記ネットワークを介して、前記送信先機器において前記スクリーンセーバが終了されたかどうかを判別する判別工程と、
前記画像出力装置の送信手段が、前記判別工程で前記送信先機器において前記スクリーンセーバが終了したと判別されると前記画像データを前記ネットワークを介して前記送信先機器に送信する送信工程と、を有することを特徴とする。
【手続補正４】
【補正対象書類名】明細書
【補正対象項目名】００１０
【補正方法】変更
【補正の内容】
【００１０】
上記目的を達成するために本発明の一態様に係る画像処理システムは以下のような構成を備える。即ち、
ネットワークを介して接続された画像出力装置とコンピュータ機器とを有する画像処理システムであって、
前記画像出力装置は、
画像データの送信先コンピュータ機器が特定されると、前記通信手段を介して当該送信先コンピュータ機器においてスクリーンセーバを起動させるコマンドを送信するコマンド送信手段と、
前記通信手段を介して、前記送信先コンピュータ機器において前記スクリーンセーバが終了されたかどうかを判別する判別手段と、
前記判別手段により前記送信先コンピュータ機器において前記スクリーンセーバが終了したと判別されると前記画像データを前記通信手段を介して前記送信先コンピュータ機器に送信する送信手段と、を有し、
前記送信先コンピュータ機器は、
前記コマンドの受信に応答してスクリーンセーバを表示する手段と、
前記スクリーンセーバの終了指示に応答して前記スクリーンセーバを終了させる終了手段と、
前記スクリーンセーバの終了を前記画像出力装置に通知する手段と、を有することを特徴とする。
【手続補正５】
【補正対象書類名】明細書
【補正対象項目名】００１５
【補正方法】変更
【補正の内容】
【００１５】
ホストコンピュータ１０１は、ETHERNET（登録商標）やUSB等の通信バス１１０を介して、ＭＦＰ１１１等の周辺機器と接続されている。このＭＦＰ１１１は、複写機、ファクシミリ装置、スキャナ等の機能に加え、ホストコンピュータ等のＰＣからの印刷データを受信して印刷するＰＣプリンタとしての機能も備えている。
【手続補正６】
【補正対象書類名】明細書
【補正対象項目名】００１９
【補正方法】変更
【補正の内容】
【００１９】
このＭＦＰ１１１は、ＣＰＵ２０２，ＲＯＭ２０３，ＲＡＭ２０４、操作パネル部２０５、印刷部２０６、スキャナ部２０７、外部Ｉ／Ｆ２０８、内部バス２０９を有している。外部Ｉ／Ｆ２０８は、ETHERNET（登録商標）やUSB等の通信バス１１０を介して、ホストコンピュータ１０１，２０１と接続している。尚、図２ではホストコンピュータは２つだけを示したが、通信バス１１０を介して任意の数のホストコンピュータとの接続が可能である。